【手続補正書】
【提出日】平成20年5月8日(2008.5.8)
【手続補正１】
【補正対象書類名】特許請求の範囲
【補正対象項目名】全文
【補正方法】変更
【補正の内容】
【特許請求の範囲】
【請求項１】
水不溶性色材を含有してなる水性インク（Ｂ）と共に用いられる、水性インク（ａ）が複数組み合わされてなるインクセット（Ａ）において、
該インクセット（Ａ）を構成する水性インク（ａ）のそれぞれが、上記水性インク（Ｂ）を構成する水不溶性色材に対して貧溶媒となる水溶性有機溶剤を１種以上含有してなり、且つ、水性インク（ａ）中における該貧溶媒となる水溶性有機溶剤の含有量の合計（質量％）が、上記水性インク（Ｂ）中の水不溶性色材の含有量（質量％）の３倍以上であり、
さらに、上記水性インク（ａ）中にそれぞれ含有されている上記貧溶媒となる水溶性有機溶剤のうち、少なくとも１種の水溶性有機溶剤の２０℃における蒸気圧が、２０℃における水の蒸気圧よりも低いことを特徴とするインクセット。
【請求項２】
前記水性インク（Ｂ）が、少なくとも１種の水溶性有機溶剤を含有してなり、且つ、該水性インク（Ｂ）中の水溶性有機溶剤のうち、含有量が最大である水溶性有機溶剤についての真空の誘電率ε0に対する比誘電率εS1と、
前記インクセット（Ａ）を構成する各水性インク（ａ）中にそれぞれ含有されている、前記貧溶媒となる各水溶性有機溶剤についての真空の誘電率ε0に対する比誘電率εS2とが、
εS1＞εS2の関係を満たす請求項１に記載のインクセット。
【請求項３】
前記比誘電率εS1の常温での値が、３５以下である請求項２に記載のインクセット。
【請求項４】
前記インクセット（Ａ）を構成する各水性インク（ａ）中に含有されている水溶性有機溶剤のうち、含有量が最大である水溶性有機溶剤が、前記水性インク（Ｂ）を構成する水不溶性色材に対して貧溶媒となる水溶性有機溶剤である請求項１〜３の何れか１項に記載のインクセット。
【請求項５】
前記水不溶性色材を含有する水性インク（Ｂ）が、更に、該水不溶性色材に対して貧溶媒となる水溶性有機溶剤を含有してなる請求項１〜４の何れか１項に記載のインクセット。
【請求項６】
前記貧溶媒が、ポリエチレングリコール２００（平均分子量２００のポリエチレングリコール）、ポリエチレングリコール６００（同平均分子量６００）、１，５−ペンタンジオール、２−ピロリドン及び１，２，６−ヘキサントリオールからなる群から選ばれるいずれかである請求項１〜５の何れか１項に記載のインクセット。
【請求項７】
前記水性インク（Ｂ）中の水不溶性色材が、イオン性基を有する請求項１〜６の何れか１項に記載のインクセット。
【請求項８】
前記水性インク（Ｂ）中の水不溶性色材が、その表面に、−ＣＯＯＭ１、−ＳＯ3Ｍ１及び−ＰＯ3Ｈ(Ｍ１)2（式中のＭ１は、水素原子、アルカリ金属、アンモニウム又は有機アンモニウムである）からなる群から選ばれる少なくとも１種を、直接若しくは他の原子団を介して結合している顔料である請求項１〜７の何れか１項に記載のインクセット。
【請求項９】
前記他の原子団が、炭素原子数１〜１２のアルキレン基、置換若しくは未置換のフェニレン基又は置換若しくは未置換のナフチレン基からなる群から選ばれるものである請求項８に記載のインクセット。
【請求項１０】
前記水性インク（Ｂ）中の水不溶性色材が、カーボンブラックである請求項１〜９の何れか１項に記載のインクセット。
【請求項１１】
前記水不溶性色材を含有する水性インク（Ｂ）が、ブラックインクである請求項１〜１０の何れか１項に記載のインクセット。
【請求項１２】
インクをインクジェット方式で吐出する工程を有するインクジェット記録方法において、上記インクが、請求項１〜１１の何れか１項に記載のインクセット（Ａ）を構成する複数の水性インク（ａ）であることを特徴とするインクジェット記録方法。
【請求項１３】
インクを収容するインク収容部を備えたインクカートリッジにおいて、前記インクカートリッジが、インクを収容する部分を有し、上記インクが、請求項１〜１１の何れか１項に記載のインクセット（Ａ）を構成する複数の水性インク（ａ）であることを特徴とするインクカートリッジ。
【請求項１４】
インク収容部と、インクを吐出させるためのインクジェット記録ヘッドとを具備している記録ユニットにおいて、上記インクが、請求項１〜１１の何れか１項に記載のインクセットを構成する複数の水性インク（ａ）であることを特徴とする記録ユニット。
【請求項１５】
インク収容部と、インクを吐出させるためのインクジェット記録ヘッドとを具備しているインクジェット記録装置において、上記インクが、請求項１〜１１の何れか１項に記載のインクセット（Ａ）を構成する複数の水性インク（ａ）であることを特徴とするインクジェット記録装置。
【請求項１６】
請求項１〜１０の何れか１項に記載のインクセット（Ａ）を構成する複数の水性インク（ａ）と、請求項１〜１１の何れか１項に記載の水不溶性色材を含有してなる水性インク（Ｂ）を用いて、記録媒体に前記インクセット（Ａ）を構成する各水性インク（ａ）により形成される画像及び前記水不溶性色材を含有してなる水性インク（Ｂ）により形成される画像が隣接してなる画像を形成する画像形成方法において、上記水不溶性色材を含有する水性インク（Ｂ）を付与する走査を行って画像を形成した後、該画像が形成された領域に、上記インクセット（Ａ）を構成する複数の水性インク（ａ）の少なくとも１種を付与する走査を行うことを特徴とする画像形成方法。
【請求項１７】
前記水不溶性色材を含有する水性インク（Ｂ）を記録媒体に付与する走査を行った後に、少なくとも１回の走査分の時間差を空けた後に、前記インクセット（Ａ）を構成する複数の水性インク（ａ）の少なくとも１種を付与する走査を行う請求項１６に記載の画像形成方法。
【請求項１８】
前記水不溶性色材を含有する水性インク（Ｂ）を吐出させるための吐出口列と、前記インクセット（Ａ）を構成する複数の水性インク（ａ）をそれぞれ吐出させるための吐出口列が副走査方向にずれて配置されている記録ヘッドを用いてインクの付与を行う請求項１６又は１７に記載の画像形成方法。
【請求項１９】
複数の水性インク（ａ）が組み合わされてなるインクセット（Ａ）を構成する各水性インクと、少なくとも水不溶性色材を含有してなる水性インク（Ｂ）とをインクジェット方式で吐出する工程を有するインクジェット記録方法において、
上記インクセット（Ａ）を構成する複数の水性インク（ａ）がそれぞれ、上記水性インク（Ｂ）中の水不溶性色材に対して貧溶媒となる水溶性有機溶剤を含有してなり、且つ、水性インク（ａ）中における該貧溶媒となる水溶性有機溶剤の含有量の合計（質量％）が、上記水性インク（Ｂ）中の水不溶性色材の含有量（質量％）の３倍以上であり、
さらに、上記貧溶媒となる水溶性有機溶剤のうちの少なくとも１種の水溶性有機溶剤の２０℃における蒸気圧が、２０℃における水の蒸気圧よりも低いことを特徴とするインクジェット記録方法。
【手続補正２】
【補正対象書類名】明細書
【補正対象項目名】００１１
【補正方法】変更
【補正の内容】
【００１１】
上記の目的は以下の本発明によって達成される。即ち、本発明にかかるインクセットは、水不溶性色材を含有してなる水性インク（Ｂ）と共に用いられる、水性インク（ａ）が複数組み合わされてなるインクセット（Ａ）において、該インクセット（Ａ）を構成する各水性インク（ａ）のそれぞれが、上記水性インク（Ｂ）を構成する水不溶性色材に対して貧溶媒となる水溶性有機溶剤を１種以上含有してなり、且つ、水性インク（ａ）中における該貧溶媒となる水溶性有機溶剤の含有量の合計（質量％）が、上記水性インク（Ｂ）中の水不溶性色材の含有量（質量％）の３倍以上であり、さらに、上記水性インク（ａ）中にそれぞれ含有されている上記貧溶媒となる水溶性有機溶剤のうち、少なくとも１種の水溶性有機溶剤の２０℃における蒸気圧が、２０℃における水の蒸気圧よりも低いことを特徴とする。
【手続補正３】
【補正対象書類名】明細書
【補正対象項目名】００１２
【補正方法】変更
【補正の内容】
【００１２】
又、本発明にかかるインクジェット記録方法は、上記インクセット（Ａ）を構成する各水性インク（ａ）をインクジェット方式で吐出する工程を有することを特徴とする。
【手続補正４】
【補正対象書類名】明細書
【補正対象項目名】００１４
【補正方法】変更
【補正の内容】
【００１４】
又、本発明にかかる記録ユニットは、上記インクセット（Ａ）を構成する各水性インク（ａ）を収容するインク収容部と、上記インクセット（Ａ）を構成する各水性インク（ａ）とを吐出させるためのインクジェット記録ヘッドとを具備してなることを特徴とする。
【手続補正５】
【補正対象書類名】明細書
【補正対象項目名】００１５
【補正方法】変更
【補正の内容】
【００１５】
又、本発明にかかるインクジェット記録装置は、上記インクセット（Ａ）を構成する各水性インク（ａ）を収容するインク収容部と、上記インクセット（Ａ）を構成する各水性インク（ａ）を吐出させるためのインクジェット記録ヘッドとを具備してなることを特徴とする。
【手続補正６】
【補正対象書類名】明細書
【補正対象項目名】００１７
【補正方法】変更
【補正の内容】
【００１７】
又、本発明にかかるインクジェット記録方法は、複数の水性インク（ａ）が組み合わされてなるインクセット（Ａ）を構成する各水性インクと、少なくとも水不溶性色材を含有してなる水性インク（Ｂ）とをインクジェット法で吐出する工程を有するインクジェット記録方法において、上記インクセット（Ａ）を構成する複数の水性インク（ａ）がそれぞれ、上記水性インク（Ｂ）中の水不溶性色材に対して貧溶媒となる水溶性有機溶剤を含有してなり、且つ、水性インク（ａ）中における該貧溶媒となる水溶性有機溶剤の含有量の合計（質量％）が、上記水性インク（Ｂ）中の水不溶性色材の含有量（質量％）の３倍以上であり、さらに、上記貧溶媒となる水溶性有機溶剤のうちの少なくとも１種の水溶性有機溶剤の２０℃における蒸気圧が、２０℃における水の蒸気圧よりも低いことを特徴とする。
【手続補正７】
【補正対象書類名】明細書
【補正対象項目名】０１３５
【補正方法】変更
【補正の内容】
【０１３５】
＜実施例１〜１９及び参考例１〜１１＞
上記で調製したブラックインク１〜３とカラーインクセットＡ〜Ｍを表８のように組み合わせて、各インクを、表８に示した各記録ヘッドを有するインクジェット記録装置に搭載して画像形成を行った。実施例１〜１９では、ブラックインクとカラーインクセットとの関係が、請求項１の要件を満足している。参考例１〜６は、カラーインクセットを構成する各インクが貧溶媒を含有していないインクを用いた例である。又、参考例７〜９は、カラーインクセットを構成する３種のインクのうちの１種が貧溶媒を含有していないインクを用いた例である。参考例１０は、カラーインクセットを構成する各インクが貧溶媒を含有しているものの、該貧溶媒の２０℃における蒸気圧が、２０℃における水の蒸気圧よりも高いものを使用したインクを用いた例である。
【手続補正８】
【補正対象書類名】明細書
【補正対象項目名】０１３６
【補正方法】変更
【補正の内容】
【０１３６】
2005350661.tif 000001
【手続補正９】
【補正対象書類名】明細書
【補正対象項目名】０１３９
【補正方法】変更
【補正の内容】
【０１３９】
2005350661.tif 000002
【手続補正１０】
【補正対象書類名】明細書
【補正対象項目名】０１４０
【補正方法】変更
【補正の内容】
【０１４０】
上記表９において、評価がＡである実施例１〜３及び１０〜１９の画像は、評価は同じＡではあるが、参考例１１の画像よりも優れていた。尚、本発明においては特に、水不溶性色材として、例えば、顔料を含有するブラックインクで形成されたブラックの画像と、これと共に用いるカラーインクで形成されたカラーの画像との境界部の全てにおいて、ブリーディングの発生が抑制されることを目標としている。本発明にかかるインクセットを用いて画像を形成した実施例においては、何れも参考例の評価レベルを上回る結果となっており、本発明の優位性が示された。